(57)【要約】【課題】  図案、線、文字などを木片に直接印刷したような視角上の効果が得られ、かつ従来の方法によらず高速で印刷できる弁当容器材の構造を提供する。【解決手段】  繊維組織を有する木片と、該木片の繊維組織に浸透させる熱溶融性プラスチック層と、光透過性の連続的なフィルム材と、該熱溶融性プラスチック層と該フィルム層の間に挟まれて存在し、かつ該光透過性のフィルム材上から見ることができる印刷された図案とによって弁当容器材を構成する。【選択図】  図４
0003134112.tif 000002
【実用新案登録請求の範囲】
【請求項１】
繊維組織を有する木片と、
該木片の繊維組織に浸透させる熱溶融性プラスチック層と、
光透過性の連続的なフィルム材と、
該熱溶融性プラスチック層と該フィルム層の間に挟まれて存在し、かつ該光透過性のフィルム材上から見ることができる印刷された図案とを具えることを特徴とする弁当容器材の構造。
【請求項２】
前記図案が、温度の変化に反応して変色するインクで印刷された図案か、もしくは係るインクで構成する温度計であることを特徴とする請求項１に記載の弁当容器材の構造。
【請求項３】
前記フィルム材がロールペーパーであることを特徴とする請求項１に記載の弁当容器材の構造。
【請求項４】
前記熱溶融性プラスチック層がポリエチレンで構成されることを特徴とする請求項１に記載の弁当容器材の構造。
【請求項５】
前記熱溶融性プラスチック層がホットメルトで構成されることを特徴とする請求項１に記載の弁当容器材の構造。
【請求項６】
前記フィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択されることを特徴とする請求項１に記載の弁当容器材の構造。
【請求項７】
繊維組織を有し、第１表面と第２表面とを具える木片と、
該木片の第１表面に接着して、該木片から発生する粉末状の木片の成分を隔離するとともに、該木片の靭性を増強する連続的なフィル材と、
表面に図案を印刷した光透過性の連続的なフィルム材と、
該木片の第２表面下の繊維組織に浸透して該図案を印刷した光透過性の連続的なフィルム材を該木片の第２表面に接着させる熱溶融性プラスチック層とを具えることを特徴とする弁当容器材の構造。
【請求項８】
前記図案が示温インクで印刷された図案を含み、かつ該図案が温度に反応して変色する図案か、もしくは温度計の図案であることを特徴とする請求項７に記載の弁当容器材の構造。
【請求項９】
前記連続的なフィルム材がロールペーパーであることを特徴とする請求項７に記載の弁当容器材の構造。
【請求項１０】
前記熱溶融性プラスチック層がポリエチレン（ＰＥ）によってなることを特徴とする請求項７に記載の弁当容器材の構造。
【請求項１１】
前記熱溶融性プラスチック層がホットメルトによってなることを特徴とする請求項７に記載の弁当容器材の構造。
【請求項１２】
前記フィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択されることを特徴とする請求項７に記載の弁当容器材の構造。
【請求項１３】
繊維組織を有し、第１表面と第２表面とを具え、かつ該第１表面と第２表面に位置する繊維組織に浸透した熱溶融性プラスチック層を含む木片と、
該熱溶融性プラスチック層を介して該木片の第１表面に接着する第１色印刷層を具える光透過性の連続的な第１のフィルム材と、
該熱溶融性プラスチック層を介して該木片の第２表面に接着する第２色印刷層を具える光透過性の連続的な第２のフィルム材と、を含むことを特徴とする弁当容器材の構造。
【請求項１４】
前記光透過性の連続的な第１のフィルム材がロールペーパーであることを特徴とする請求項１３に記載の弁当容器材の構造。
【請求項１５】
前記光透過性の連続的な第２のフィルム材がロールペーパーであることを特徴とする請求項１３に記載の弁当容器材の構造。
【請求項１６】
前記熱溶融性プラスチック層がポリエチレン（ＰＥ）によってなることを特徴とする請求項１３に記載の弁当容器材の構造。
【請求項１７】
前記熱溶融性プラスチック層がホットメルトによってなることを特徴とする請求項１３に記載の弁当容器材の構造。
【請求項１８】
前記光透過性の連続的な第１のフィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択されることを特徴とする請求項１３に記載の弁当容器材の構造。
【請求項１９】
前記光透過性の連続的な第２のフィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択されることを特徴とする請求項１３に記載の弁当容器材の構造。
【請求項２０】
繊維組織を有し、第１表面と第２表面とを具え、かつ該第１表面と第２表面に位置する繊維組織に浸透した熱溶融性プラスチック層を含む木片と、
印刷された図案を具え、かつ該熱溶融性プラスチック層を介して該木片の第１表面に接着する光透過性の連続的なフィルム材と、を含むことを特徴とする弁当容器材の構造。
【請求項２１】
前記図案が示温インクで印刷された図案を含み、かつ該図案が温度に反応して変色する図案か、もしくは温度計の図案であることを特徴とする請求項２０に記載の弁当容器材の構造。
【請求項２２】
前記光透過性の連続的のフィルム材がロールペーパーであることを特徴とする請求項２０に記載の弁当容器材の構造。
【請求項２３】
前記熱溶融性プラスチック層がポリエチレン（ＰＥ）によってなることを特徴とする請求項２０に記載の弁当容器材の構造。
【請求項２４】
前記熱溶融性プラスチック層がホットメルトによってなることを特徴とする請求項２０に記載の弁当容器材の構造。
【請求項２５】
前記光透過性の連続的なフィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択されることを特徴とする請求項２０に記載の弁当容器材の構造。
【考案の詳細な説明】
【技術分野】
【０００１】
この考案は、弁当容器を製造するための弁当容器材の構造に関する。
【背景技術】
【０００２】
天然の木材は、削ることによって木片を製造することができる。その用途は、一般の家具においては、例えばキャビネットの板材の表面に貼着する。また、ギフトなどの包装用の容器の材料として用いられる。さらには、調理した食物を収納する弁当容器、折り箱の材料としても、長い間人気を得ている。
【０００３】
上述する木片は、天然の木材の異なる組織の部位を削るため、それぞれの位置に厚さ、材質の密度、硬さ、湾曲の方向と程度が異なる。係る特性を有するため、自動印刷設備を利用して木片の表面に高速で印刷を施すことは難しい。
【０００４】
日本国では、木片の弁当箱の製造業者は従来のスクリーン印刷で木片に印刷を施して弁当箱の材料としている。但し、スクリーン印刷を施す場合、一色印刷する毎にインクを乾燥させ、次いで他の色を印刷しなければならない。よって、乾燥させるための極めて広い空間を必要とし、しかも係る方法では印刷の速度が遅くなり、コストも高くなる。さらには、色を重ね合わせる際の精度を十分に把握することは極めて難しい。
【０００５】
弁当容器は、当然のことながら衛生的であり、有害物質を含まないことが肝要であるとともに、使い捨ての製品であるため、低コストでなければならない。よって、スクリーン印刷を採用した場合、衛生面、有害物質の面で心配が残るのみならず、例えばコンビニエンスストアなどで、一日に万単位で販売される弁当用の容器については、大量生産が要求されるが、係る要求を満たすことが難しい。
【考案の開示】
【考案が解決しようとする課題】
【０００６】
この考案は、広告用の図案、線、文字などを高速で印刷できる弁当容器材の構造を提供することを課題とする。
【課題を解決するための手段】
【０００７】
そこで、本考案者は従来の技術に見られる欠点に鑑み鋭意研究を重ねた結果、
繊維組織を有する木片と、該木片の繊維組織に浸透させる熱溶融性プラスチック層と、光透過性の連続的なフィルム材と、該熱溶融性プラスチック層と該フィルム層の間に挟まれて存在し、かつ該光透過性のフィルム材上から見ることができる印刷された図案とを具える弁当容器材の構造によって課題を解決できる点に着眼し、係る知見に基づいて本考案を完成させた。
【０００８】
以下この考案について具体的に説明する。
【０００９】
請求項１に記載する弁当容器材の構造は、繊維組織を有する木片と、
該木片の繊維組織に浸透させる熱溶融性プラスチック層と、
光透過性の連続的なフィルム材と、
該熱溶融性プラスチック層と該フィルム層の間に挟まれて存在し、かつ該光透過性のフィルム材上から見ることができる印刷された図案とを具える。
【００１０】
請求項２に記載する弁当容器材の構造は、請求項１における図案が、温度の変化に反応して変色するインクで印刷された図案か、もしくは係るインクで構成する温度計である。
【００１１】
請求項３に記載する弁当容器材の構造は、請求項１におけるフィルム材がロールペーパーである。
【００１２】
請求項４に記載する弁当容器材の構造は、請求項１における熱溶融性プラスチック層がポリエチレンで構成される。
【００１３】
請求項５に記載する弁当容器材の構造は、請求項１における熱溶融性プラスチック層がホットメルトで構成される。
【００１４】
請求項６に記載する弁当容器材の構造は、請求項１におけるフィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択される。
【００１５】
請求項７に記載する弁当容器材の構造は、繊維組織を有し、第１表面と第２表面とを具える木片と、該木片の第１表面に接着して、該木片から発生する粉末状の木片の成分を隔離するとともに、該木片の靭性を増強する連続的なフィル材と、表面に図案を印刷した光透過性の連続的なフィルム材と、該木片の第２表面下の繊維組織に浸透して該図案を印刷した光透過性の連続的なフィルム材を該木片の第２表面に接着させる熱溶融性プラスチック層とを具える。
【００１６】
請求項８に記載する弁当容器材の構造は、請求項７における図案が示温インクで印刷された図案を含み、かつ該図案が温度に反応して変色する図案か、もしくは温度計の図案である。
【００１７】
請求項９に記載する弁当容器材の構造は、請求項７における連続的なフィルム材がロールペーパーである。
【００１８】
請求項１０に記載する弁当容器材の構造は、請求項７における熱溶融性プラスチック層がポリエチレン（ＰＥ）によってなる。
【００１９】
請求項１１に記載する弁当容器材の構造は、請求項７における熱溶融性プラスチック層がホットメルトによってなる。
【００２０】
請求項１２に記載する弁当容器材の構造は、請求項７におけるフィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択される。
【００２１】
請求項１３に記載する弁当容器材の構造は、繊維組織を有し、第１表面と第２表面とを具え、かつ該第１表面と第２表面に位置する繊維組織に浸透した熱溶融性プラスチック層を含む木片と、該熱溶融性プラスチック層を介して該木片の第１表面に接着する第１色印刷層を具える光透過性の連続的な第１のフィルム材と、該熱溶融性プラスチック層を介して該木片の第２表面に接着する第２色印刷層を具える光透過性の連続的な第２のフィルム材と、を含む。
【００２２】
請求項１４に記載する弁当容器材の構造は、請求項１３における光透過性の連続的な第１のフィルム材がロールペーパーである。
【００２３】
請求項１５に記載する弁当容器材の構造は、請求項１３における光透過性の連続的な第２のフィルム材がロールペーパーである。
【００２４】
請求項１６に記載する弁当容器材の構造は、請求項１３における熱溶融性プラスチック層がポリエチレン（ＰＥ）によってなる。
【００２５】
請求項１７に記載する弁当容器材の構造は、請求項１３における熱溶融性プラスチック層がホットメルトによってなる。
【００２６】
請求項１８に記載する弁当容器材の構造は、請求項１３における光透過性の連続的な第１のフィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択される。
【００２７】
請求項１９に記載する弁当容器材の構造は、請求項１３における、光透過性の連続的な第２のフィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択される。
【００２８】
請求項２０に記載する弁当容器材の構造は、繊維組織を有し、第１表面と第２表面とを具え、かつ該第１表面と第２表面に位置する繊維組織に浸透した熱溶融性プラスチック層を含む木片と、印刷された図案を具え、かつ該熱溶融性プラスチック層を介して該木片の第１表面に接着する光透過性の連続的なフィルム材と、を含む。
【００２９】
請求項２１に記載する弁当容器材の構造は、請求項２０における図案が示温インクで印刷された図案を含み、かつ該図案が温度に反応して変色する図案か、もしくは温度計の図案である。
【００３０】
請求項２２に記載する弁当容器材の構造は、請求項２０における光透過性の連続的なフィルム材がロールペーパーである。
【００３１】
請求項２３に記載する弁当容器材の構造は、請求項２０における熱溶融性プラスチック層がポリエチレン（ＰＥ）によってなる。
【００３２】
請求項２４に記載する弁当容器材の構造は、請求項２０における熱溶融性プラスチック層がホットメルトによってなる。
【００３３】
請求項２５に記載する弁当容器材の構造は、請求項２０における光透過性の連続的なフィルム材がＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材から選択される。
【考案の効果】
【００３４】
この考案による弁当容器材は、図案、線、文字などを木片に直接印刷したような視角上の効果が得られ、かつ従来の方法によらず高速で印刷できるという利点を有する。
【００３５】
また、この考案による弁当容器材の構造は、示温インクを利用して温度の変化に係る情報を知らせる図案を印刷することができる。さらには漆器を模した弁当容器を構成することができ、このように態様を変化させることによって、商品の付加価値を高めることができるという利点を有する。
【実施例１】
【００３６】
この考案は弁当容器を製造するための弁当容器材を提供するものであって、図１から図５に開示するように、木片４０をフィルム材３０に接合してなる。
【００３７】
フィルム材３０は光透過性を具える連続的なものであって、第１表面３１を有する。第１表面３１には複数の図案３２を印刷する。フィルム材３０は、ロールペーパーか、ＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材によってなり、巻き取ったフィルムであって、一般の印刷機械で表面に図案３２を印刷する。
【００３８】
また、図２に開示するように、フィルム材３０の図案３２を印刷した第１表面３１には、熱溶融性プラスチック層３３を形成して被覆する。熱溶融性プラスチック層３３は一般的なポリエチレン、又はホットメルトを接合するか、吹付け、熱圧着などの方法で付着させて形成する。熱溶融性プラスチック層３３を形成することによって隔離作用が発生し、印刷された図案３２のインクが弁当容器内、弁当容器に収納する食物、または木片に付着することがなくなる。
【００３９】
さらに、図３に開示するように、熱溶融性プラスチック層３３を形成したフィルム材３０は木片４０に接合する。木片４０は第１表面４１と第２表面４２とを有し、フィルム材３０に形成した熱溶融プラスチック層３３と木片４０の第２表面４２とを接合する。
【００４０】
フィルム材３０と木片４０とを熱圧着する場合、フィルム材３０上の熱溶融性プラスチック層３３が熱によって溶融し、かつ高圧を受けて木片４０の繊維組織内に浸透する。よって、フィルム材３０と木片４０とが結合し、図案が印刷された複合層構造を有する弁当容器材４３を形成する。この弁当容器材４３を用いて、木片製で、かつ図案の印刷された弁当容器を製造することができる。
【００４１】
図４、５に開示するように、この考案による弁当容器材４３は、金型を利用して裁断し、弁当容器５０、容器の蓋５１を形成することができる。この複合層構造を有する弁当容器材４３は、上述するように木片４０と、木片４０に浸透した熱溶融性プラスチック層３３と、印刷された図案３２と、光透過性のフィルム材３０とを具える。印刷された図案３２は、熱溶融性プラスチック層３３とフィルム層３０との間に挟まれて存在し、光透過性のフィルム材３０上から見ることができる。この場合、木片４０の表面に印刷したような視覚的効果が得られる。
【００４２】
図案３は、図形、写真、宣伝用の文字などを含む。また、図案３は温度変色をするインクで印刷してもよい。この場合、温度に反応する図案、または温度計３２１として印刷する。よって、インクの色の変化で弁当の大体の温度を弁当業者、または消費者に知らせることができる。
【００４３】
温度変色するインクは、不可逆性示温インク（ｉｒｒｅｖｅｒｓｉｂｌｅ  ｔｈｅｒｍｏ  ｃｈｒｏｍｉｃ  ｉｎｋ）、可逆性示温インク（ｒｅｖｅｒｓｉｂｌｅ  ｔｈｅｒｍｏ  ｃｈｒｏｍｉｃ  ｉｎｋ）、または記憶型示温度インク（ｔｈｅｒｍｏ  ｃｈｒｏｍｉｃ  ｗｉｔｈ  ｃｏｌｏｒ  ｍｅｍｏｒｙ  ｉｎｋ）の三種類から選択される。不可逆性示温インクは色表示、変色の二種類が、不可逆性示温インクは色表示、色消失、変色の三種類が、記憶型示温インクは通常の温度条件においては外観上無色であって、一定の温度に上昇すると色が表示され、温度が下がっても色が消失せず、再度温度が同様の温度に上昇すると色が消失する。これら示温インクの変色の特性を組み合わせることによって、温度関連情報、または弁当を加熱する過程における警告を与えることができる。
【実施例２】
【００４４】
図６に開示するように、木片４０の他の面に、折り曲げに対する抗力を具えた連続的なフィルム層を形成することによって、木片４０から発生する粉末状の木片の成分が弁当容器に収納する調理済みの食物に付着することを防ぐとともに、弁当容器を構成するための裁断、折り曲げの過程に必要とする強度を木片４０に与えることができる。
【００４５】
図７の局部拡大図に開示するように、熱溶融性プラスチック層５２を連続的なフィルム材５３の表面に形成する。フィルム材５１は、ロールペーパーか、ＯＰＰ（Ｏｒｉｅｎｔａｔｅｄ  Ｐｏｌｙｐｒｏｐｙ）、ポリエチレン、ＰＬＡ（Ｐｏｌｙ  Ｌａｃｔｉｃ  Ａｃｉｄ）、ＰＥＴ（Ｐｏｌｙｅｔｈｙｌｅｎｅ  Ｔｅｒｅｐｈｔｈａｌａｔｅ）、またはポリプロピレンなどのプラスチック材によってなり、巻き取ったフィルムであって、熱溶融性プラスチック層５２は一般的なポリプロピレン、又はその他の熱溶融特性を有する材料を接合するか、吹付け、熱圧着などの方法でフィルム材５３に付着させて形成する。
【００４６】
第２の実施例における木片４０は、第１の実施例と同様に第１表面４１と第２表面４２を具え、フィルム材５３に形成した熱溶融プラスチック層５２と木片４０の第２表面４２とを接合する。
【００４７】
フィルム材３０と木片４０とを熱圧着する場合、フィルム材５３上の熱溶融性プラスチック層５２が熱によって溶融し、かつ高圧を受けて木片４０の第１面４１の繊維組織内に浸透して、フィルム材５３が木片４０の第１面４１に接着する。
【００４８】
フィルム材３０の第１表面には、実施例１と同様に複数の図案３２を印刷するか、及び／もしくは示温インクで温度の変化に反応する図案、温度計３２１などを印刷する。
【００４９】
複数の図案３２を印刷するか、及び／もしくは示温インクで温度の変化に反応する図案、温度計３２１などを印刷したフィルム材３０の第１表面は、熱溶融性プラスチック層３３で被覆する。
【００５０】
熱溶融性プラスチック層３３で第１表面を被覆したフィルム材３０は木片４０の第２表面４２に重ね合わせ、熱圧着する。この場合、フィルム材３０の第１表面を被覆する熱溶融性プラスチック層３３が溶融し、かつ高圧によって木片４０の第２表面４２の繊維組織内に浸透する。よって、光透過性のフィルム材３０と木片４０とが結合して、図案が印刷された複合層構造を有する弁当容器材４３を形成する。この弁当容器材４３を用いて、木片製で、かつ図案の印刷された弁当容器を製造することができる。
【００５１】
図８に開示するように複合構造を有する弁当容器材６０は、連続的なフィルム材５１と、熱溶融性プラスチック層５２と、木片４０と、熱溶融性プラスチック層３３と、印刷された図案３２と、示温インクで印刷され、温度の変化に反応する図案、もしくは温度計３２１と、光透過性の連続したフィルム材３０とを具える。
【００５２】
この分野の技術を熟知した者であれば分かることであるが、図６に開示するステップは若干の変化を加えることができる。例えば、木材から発生する粉末状の木材成分を隔離することのみを目的とするのであれば、図６の２５のステップは予め熱溶融性プラスチックフィルムを用意するように変更できる。２６のステップは、第１表面４１と第２表面４２を有する木片４０の第１表面４１に該熱溶融性プラスチックフィルムを重ね合わせるように変更できる。熱圧着を行う２７のステップは、該熱溶融性プラスチックフィルムを木片４０に熱圧着させるように変更できる。この場合、該熱溶融性プラスチックフィルムが溶融し、高圧によって木片４０の第１表面４１の繊維組織内に浸透して熱溶融性プラスチック層５２を形成する。
【００５３】
図９に上述する変更したステップによって製造される複合層構造を有する弁当容器材７０を開示する。図面によれば、図案が印刷された複合構造を有する弁当容器材７０は、熱溶融性プラスチック層５２と、木片４０と、熱溶融性プラスチック層３３と、印刷された図案３２と、示温インクで印刷され、温度の変化に反応する図案、もしくは温度計３２１と、光透過性の連続したフィルム材３０とを具える。
【００５４】
図１０には、漆器の色を表現した複合構造を有する弁当容器材８０を開示する。木片４０の両面には、それぞれ熱溶融プラスチック層３３、５２、第１色印刷層３５と第２色印刷層３６を形成する。さらに、両面にはそれぞれ光透過性の連続的なフィルム材３０を接着する。漆器の表面の色は通常赤色と黒色である。熱溶融性プラスチック層３３、５２に被覆されることによって、これら色のインクは木片４０に接触しない。よって、木片４０の繊維組織に吸収されることはなく、また木片４０の繊維組織から出ることはない。色と木片の質感がフィルム材３０の下に現れ、漆器の表面に近い感覚が得られる。
【００５５】
上述する漆器の表面の色を具える弁当容器材８０は、図１に開示するステップで製造することができる。即ち、光透過性の連続的なフィルム材３０上に第１色印刷層３５を形成し、第２のフィルム材３０に第２色印刷層３６を形成し、第１色印刷層３５と第２色印刷層３６をそれぞれ熱溶融性プラスチック層３３、５２で被覆し、熱圧着で熱溶融性プラスチック層３３、５２を溶融し、かつ高圧で木片４０の繊維組織内に浸透させることによって、漆器の表面の色をした複合層構造８０を有する弁当容器材が得られる。
【００５６】
この考案による弁当容器材は、従来の技術に比して、次に掲げる長所を有する。
１、この考案による弁当容器材は、図案が印刷された複合層構造を有し、従来の技術に見られるように印刷に係る制限を受けることなく、大量に、かつ高速で木片を利用した弁当容器を生産することができる。
２、この考案による弁当容器材は、示温インクで印刷することによって、消費者に温度を示すことができ、また加熱した温度記録を示すことができる。
３、この考案による弁当容器材は、一面が赤色で、他面が黒色の複合層構造を構成することができ、漆器の感じを有する弁当容器を生産することができる。
【００５７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５８】
【図１】この考案による弁当容器材の製造過程を示したフローチャートである（実施例１）。
【図２】この考案による弁当容器材の断面構造を示した説明図である。
【図３】この考案における木片にフィルム材を熱圧着する状態を示した説明図である。
【図４】この考案による弁当容器材を用いて製造した弁当容器の蓋を示した説明図である。
【図５】この考案による弁当容器材を用いて製造した弁当容器と、蓋とを示した説明図である。
【図６】この考案による弁当容器材の他の製造過程を示したフローチャートである（実施例２）。
【図７】他の実施の形態における木片にフィルム材を熱圧着する状態を示した説明図である。
【図８】その他の実施形態による弁当容器材の断面構造を示した説明図である。
【図９】別の実施形態による弁当容器材の断面構造を示した説明図である。
【図１０】漆器に似せた弁当容器材の断面構造を示した説明図である。
【符号の説明】
【００５９】
３０      フィルム材
３１      第１表面
３２      図案
３２１    温度計
３３      熱溶融性プラスチック層
３５      第１色印刷層
３６      第２色印刷層
４０      木片
４１      第１表面
４２      第２表面
４３      弁当容器材
５０      弁当容器
５１      蓋
５２      熱溶融性プラスチック層
５３      フィルム材
６０      弁当容器材
７０      弁当容器材
８０      弁当容器材
【図１】
0003134112.tif 000003
【図２】
0003134112.tif 000004
【図３】
0003134112.tif 000005
【図４】
0003134112.tif 000006
【図５】
0003134112.tif 000007
【図６】
0003134112.tif 000008
【図７】
0003134112.tif 000009
【図８】
0003134112.tif 000010
【図９】
0003134112.tif 000011
【図１０】
0003134112.tif 000012